(57)【要約】      （修正有）【課題】マスクや眼鏡によってしっかりと固定でき、頻繁に新品に取り換えても安価なフェイスシールドを提供する。【解決手段】眼鏡の左右のテンプルのそれぞれの前端部に対応するフェイスカバー２の範囲に、テンプルが挟入可能な、左右方向で中央側が接続した略コ字状のテンプル用切れ目３で形成されたフラップ４付き開口部が設けられるとともにに、マスク本体の左右方向の両端部それぞれに対応するフェイスカバーの範囲に、上下方向で下側が接続した、上下方向の２つの切れ目の長さが異なる略コ字状の紐用切れ目５が形成され、フェイスカバーの左右方向で側端側の上下方向の切れ目５ａをマスクの上側の紐を挟入可能に紐の直径より少し長い長さとし、フェイスカバーの左右方向で中央側の上下方向の切れ目５ｂをマスクの下側の紐を挟入可能にフェイスカバーの下端部の端縁まで延長させた長さとする。【選択図】図１
0003227534.tif 000002
【実用新案登録請求の範囲】
【請求項１】
顔を覆う大きさの透明なシート状のフェイスカバーからなるフェイスシールドであって、
前記フェイスカバーに、正面視で、
前記フェイスシールドに眼鏡を取付けたときに前記眼鏡の左右のテンプルのそれぞれの前端部に対応する前記フェイスカバーの範囲に、前記テンプルが挟入可能な、左右方向で中央側が接続した略コ字状のテンプル用切れ目で形成されたフラップ付き開口部が設けられ、
並びに、前記フェイスシールドにマスクを取付けたときに前記マスクのマスク本体の左右方向の両端部それぞれに対応する前記フェイスカバーの範囲に、上下方向で下側が接続した、上下方向の２つの切れ目の長さが異なる略コ字状の紐用切れ目が形成され、
前記フェイスカバーの左右方向で側端側の上下方向の切れ目を前記マスクの上側の紐を挟入可能に前記紐の直径より少し長い長さとし、かつ、前記フェイスカバーの左右方向で中央側の上下方向の切れ目を前記マスクの下側の紐を挟入可能に前記フェイスカバーの下端部の端縁まで延長させた長さとすることを特徴とするフェイスシールド。
【請求項２】
前記テンプルを前記フラップ付き開口部に挟入させたときの、前記眼鏡に対する前記フェイスシールドの姿勢を安定化させるために、
前記眼鏡の左右のテンプル間の長さ、及び、前記テンプルの厚みや幅に対応して、前記フェイスカバーにおける前記フラップ付き開口部の位置、及び、前記フラップ付き開口部の大きさを予め設定することを特徴とする請求項１に記載のフェイスシールド。
【請求項３】
前記フラップ付き開口部の大きさ及び位置を、一般的なフレームの眼鏡用、フレーム極太眼鏡用、及び、医療用ゴ−グル用の３か所を設定することを特徴とする請求項１又は２に記載のフェイスシールド。
【請求項４】
前記フェイスカバーの左右方向で中央側の上下方向の切れ目の前記フェイスカバーの下端部の端縁までの延長経路の形態を、前記フェイスカバーの下端近くまでまっすぐ下方に延長させ下端近くで斜め側端方向に向きを変えてそのまま周縁まで延長させる第一形態、又は、前記フェイスカバーの下端近くまでまっすぐ下方に延長させ、前記フェイスカバーの該延長させた切れ目より側端側の部分の下端部を円弧状に形成させる第二形態とすることを特徴とする請求項１〜３のいずれかに記載のフェイスシールド。
【考案の詳細な説明】
【技術分野】
【０００１】
本考案は、歯科医や内科等の医療機関等で第三者と対面で仕事をする人が感染防止のために使用するフェイスシールドに関する。
【背景技術】
【０００２】
新型コロナ等で医療機関では感染防止対策としてフェイスシールドが必須となっている。そのため、例えば、図１１に示すように、ヘッドバンド６２と透明なフェイスカバー６１からなるサンバイザー型のフェイスシールド６０が市場に流通している。
【０００３】
特許文献１には、ヘルメットに装着されるフェイスシールドであって、装着者の顔面に対向配置される面状部材と、前記面状部材の外周部に接続される内周部を有し、前記面状部材を支持する枠体と、前記枠体に接続する第１接続部を有し、前記枠体と前記ヘルメットとの隙間をシールする第１シール部材と、前記枠体に接続する第２接続部を有し、前記枠体と前記装着者の顔との隙間をシールする第２シール部材と、前記面状部材の前記外周部と前記枠体の前記内周部との繋ぎ目、前記第１接続部と前記枠体との繋ぎ目、及び前記第２接続部と前記枠体との繋ぎ目のうちの少なくとも２つを覆う一体のカバー部材を備えるフェイスシールドが開示されている。
【先行技術文献】
【特許文献】
【０００４】
【特許文献１】特開２０１９−８５６６９号公報
【考案の概要】
【考案が解決しようとする課題】
【０００５】
流通しているサンバイザー型のフェイスシールド６０は、着用者が眼鏡やマスクを着用していても使用できるが、ヘッドバンド６２を備えて価格的に高く、医療機関等においてウイスルなどに感染するおそれのある業務遂行時に使用したフェイスシールド６０には表面にウイルスが付着している可能性が高いため患者ごとに新品に取り換えて使い捨てにすることから、多量のフェイスシールド６０を消費するためコスト的に費用がかかり過ぎるという問題があった。
【０００６】
特許文献１のフェイスシールドは、眼鏡やマスクを着用していても使用できるが、ヘルメットに装着させて使用するタイプであり、フェイスカバーを上げ下げ可能な構成にする等で高価である。医療機関ではヘルメットを使用しないことから特許文献１のフェイスシールドを使用できないという問題があった。
【０００７】
本考案はこうした問題に鑑み創案されたもので、マスクによって、あるいは、マスク及び眼鏡によってしっかりと固定化ができ、日々新品に取り換えてもコスト的に安価化できるフェイスシールドを提供することを課題とする。
【課題を解決するための手段】
【０００８】
本考案で正面視とは、シート状のフェイスシールドを着用者が着用した状態における正面視を意味する。よって、フェイスシールドの構成の説明は、不使用状態の場合も使用状態と同じようにフェイスシールドを立てた状態で説明する。
【０００９】
請求項１に記載のフェイスシールドは、顔を覆う大きさの透明なシート状のフェイスカバーからなるフェイスシールドであって、前記フェイスカバーに、正面視で、前記フェイスシールドに眼鏡を取付けたときに前記眼鏡の左右のテンプルのそれぞれの前端部に対応する前記フェイスカバーの範囲に、前記テンプルが挟入可能な、左右方向で中央側が接続した略コ字状のテンプル用切れ目で形成されたフラップ付き開口部が設けられ、並びに、前記フェイスシールドにマスクを取付けたときに前記マスクのマスク本体の左右方向の両端部それぞれに対応する前記フェイスカバーの範囲に、上下方向で下側が接続した、上下方向の２つの切れ目の長さが異なる略コ字状の紐用切れ目が形成され、前記フェイスカバーの左右方向で側端側の上下方向の切れ目を前記マスクの上側の紐を挟入可能に前記紐の直径より少し長い長さとし、かつ、前記フェイスカバーの左右方向で中央側の上下方向の切れ目を前記マスクの下側の紐を挟入可能に前記フェイスカバーの下端部の端縁まで延長させた長さとすることを特徴とする。
【００１０】
請求項２に記載のフェイスシールドは、請求項１において、前記テンプルを前記フラップ付き開口部に挟入させたときの、前記眼鏡に対する前記フェイスシールドの姿勢を安定化させるために、前記眼鏡の左右のテンプル間の長さ、及び、前記テンプルの厚みや幅に対応して、前記フェイスカバーにおける前記フラップ付き開口部の位置、及び、前記フラップ付き開口部の大きさを予め設定することを特徴とする。
【００１１】
請求項３に記載のフェイスシールドは、請求項１又は２において、前記フラップ付き開口部の大きさ及び位置を、一般的なフレームの眼鏡用、フレーム極太眼鏡用、及び、医療用ゴ−グル用の３か所を設定することを特徴とする。
【００１２】
請求項４に記載のフェイスシールドは、請求項１〜３のいずれかにおいて、前記フェイスカバーの左右方向で中央側Ｔの上下方向の切れ目の前記フェイスカバーの下端部の端縁までの延長経路の形態を、前記フェイスカバーの下端近くまでまっすぐ下方に延長させ下端近くで斜め側端方向に向きを変えてそのまま周縁まで延長させる第一形態、又は、前記フェイスカバーの下端近くまでまっすぐ下方に延長させ、前記フェイスカバーの該延長させた切れ目より側端側の部分の下端部を円弧状に形成させる第二形態とすることを特徴とする。
【考案の効果】
【００１３】
請求項１に記載のフェイスシールド１は、１枚の透明なシート状のフェイスカバー２のみからなり、加工は切れ目を設けるのみであるので、構成が極めてシンプルであり、極めて安価に製造がでるので、感染防止のため日々使用後に使い捨てしてもコスト面を抑制できるという効果を奏する。
【００１４】
マスク２０のみ着用でも、又は、マスク２０と眼鏡１０着用でもしっかりとフェイスシールド１を顔５１に固定できるという効果を奏する。
【００１５】
また、前記略コ字状のテンプル用切れ目３によりフラップ付き開口部が形成され、形成された四角形状のフラップ片４は、前記テンプル用切れ目３の前端縁の上下を結ぶ線を軸線として開閉可能なので、フェイスカバー２の内側から外側に向けて、眼鏡１０のテンプル１１により前記フラップ片４を押し出すと、前記フラップ片４が前側を軸線として開閉する蓋のようになって、かつ、前記フラップ片４は一旦曲げられると元に戻ろうとする反力が生じるので、前記フラップ片４には前記テンプル１１側に向けた付勢力があることから、前記フラップ片４が第三者から飛んでくる飛沫Ｈを前記フェイスカバー２の内側へ侵入させない防御をすることとなり、着用者５０の感染に対する安全性を確保できる。
【００１６】
また、前記略コ字状の紐用切れ目５の縦方向の側端側Ｆの切れ目５ａによって前記マスクの上側の紐２１を挟持できるので、前記マスク２０と前記フェイスシールド１との位置関係を固定化できるという効果を奏する。
【００１７】
また、前記略コ字状の紐用切れ目５の縦方向の中央側Ｔの切れ目５ｂを前記フェイスカバー２の下端まで延長したことにより、この切れ目５ｂを境に前記フェイスカバー２が分離可能になるので、前記マスクの上側の紐２１と下側の紐２２を前記フェイスカバー２に対して容易にずらすことができる。
【００１８】
また、前記略コ字状の紐用切れ目５の縦方向の側端側Ｆの切れ目５ａからマスク２０の上側紐２１を、及び、前記略コ字状の紐用切れ目５の縦方向の中央側Ｔの切れ目５ｂからマスク２０の下側紐２２を、それぞれ前記フェイスカバー２の表側に取り出すことから、使用時には耳に取り付けた前記紐２１、２２が前記フェイスカバー２をしっかりと顔５１の方向に押して、フェイスシールド１を顔５１にしっかりと固定化できるという効果を奏する。
【００１９】
請求項２又は３に記載の考案は、眼鏡１０の大きさには、大きく分けて、一般的なフレームの眼鏡、フレーム極太眼鏡又は医療用ゴ−グルの３種類があることから、選択する眼鏡に前記フェイスシールド１を取り付けたときに、着用者が下を向いたり上を向いたりしたときに前記フェイスシールド１をグラグラと揺れ動かさないように固定させることができ、前記眼鏡１０に対する前記フェイスシールド１の姿勢を安定化させることができる。
【００２０】
また、仮にフェイスカバー２にテンプル１１挟入用の前記フラップ付き開口部の前記フェイスカバー２における位置や前記フラップ付き開口部の大きさが一般的なフレームの眼鏡用の１つしかないとした場合、一般的なフレームは厚みが薄いし小さめであるので、厚みが厚く少し大きいフレーム極太眼鏡や、厚みが厚く大きい医療用ゴ−グルのいずれのテンプル１１も挟入できないという問題があったが、本考案のフェイスシールド１はそれぞれの眼鏡に合わせた前記フラップ付き開口部を設けるので、１つの前記フェイスシールド１を複数種類の眼鏡に固定化させることができる。
【００２１】
請求項４に記載の考案は、前記略コ字状の紐用切れ目５の縦方向の中央側Ｔの切れ目５ｂを、仮にまっすぐ下端まで延長させた切れ目の場合には、図１０（ｃ）に示すように下端の外郭形状に先端が尖る形状（矢視ｃ）ができるため顔に傷をつける懸念があるが、本考案では、前記切れ目５ｂを、図１０（ａ）に示すように、前記フェイスカバー２の下端近くまでまっすぐ下方に延長させ下端近くで斜め側端側Ｆに方向を変えてそのまま周縁まで設けた第一形態、又は、図１０（ｂ）に示すように、フェイスカバー２の下端の外郭形状が円弧状（矢印ｂ）になる第二形態であるので、先端形状が鋭角状（矢印ｃ）でなく鈍角状（矢印ａ）又は円弧状（矢印ｂ）であるので顔５１にキズをつけないという安全面での効果を奏する。
【図面の簡単な説明】
【００２２】
【図１】本考案のフェイスシールドの正面図である。
【図２】本考案の透明のフェイスカバーからなるフェイスシールドを眼鏡及びマスクに取付けた使用状態の説明図である。
【図３】図２における本考案の使用状態の説明用として、特に眼鏡とマスクとのフェイスカバーとの位置関係についてわかりやすくするために、本考案のフェイスカバーを仮に不透明とした場合にして眼鏡及びマスクに取付けたフェイスシールドの使用状態の説明図である。
【図４】本考案のフェイスシールドの眼鏡のテンプルの高さにおける、フェイスシールドとテンプルとの位置関係の説明図である。
【図５】図４におけるＡ部の拡大説明図である。
【図６】マスク本体の左右方向の両端部それぞれに対応するフェイスシールドの範囲における、フェイスシールドとマスクとの位置関係の説明図である。
【図７】図６におけるＤ矢視図である。
【図８】同じ構成の部位である、図６におけるＢ１部又は図７におけるＢ２部の拡大説明図である。
【図９】図７におけるＣ部拡大図である。
【図１０】フェイスカバーの下端の縁部形状の説明図で、（ａ）は先端形状が鈍角状の場合の第一形態の説明図で、（ｂ）先端形状が円弧状の場合の第二形態の説明図で、（ｃ）は先端形状が鋭角状の場合の説明図である。
【図１１】流通している一般的なフェイスシールドの斜視図である。
【考案を実施するための形態】
【００２３】
本考案のフェイスシールド１は、歯科医や内科等の医療機関に従事する者など第三者と対面で仕事をしなければならない者が使用し、感染防止のため使い捨てしなければならない仕事環境に適するフェイスシールド１である。本考案のフェイスシールド１は、図２又は図３に示すように、マスク２０着用者、又は、マスク２０及び眼鏡１０着用者が使用できる。
【００２４】
本考案のフェイスシールド１は、図１に示すように、顔を覆う大きさの透明なシート状のフェイスカバー２からなるフェイスシールド１であって、前記フェイスカバー２に、正面視で、前記フェイスシールド１に眼鏡１０を取付けたときに前記眼鏡１０の左右のテンプル１１のそれぞれの前端部に対応する前記フェイスカバー２の範囲に、前記テンプル１１が挟入可能な、左右方向で中央側が接続した略コ字状のテンプル用切れ目３で形成されたフラップ付き開口部が設けられ、並びに、前記フェイスシールド１にマスク２０を取付けたときに前記マスク２０のマスク本体２３の左右方向の両端部それぞれに対応する前記フェイスカバー２の範囲に、上下方向で下側が接続した、上下方向の２つの切れ目の長さが異なる略コ字状の紐用切れ目５が形成され、前記フェイスカバー２の左右方向で側端側Ｆの上下方向の切れ目５ａを前記マスク２０の上側の紐２１を挟入可能に前記紐２１の直径より少し長い長さとし、かつ、前記フェイスカバー２の左右方向で中央側Ｔの上下方向の切れ目５ｂを前記マスク２０の下側の紐２２を挟入可能に前記フェイスカバー２の下端部の端縁まで延長させた長さとしている。
【００２５】
前記フェイスカバー２は、図１〜図３に示すように、顔を覆う大きさの透明なシート状である。前記フェイスカバー２の材質は、透明で形状を保持可能で曲げ変形可能なシート状の材質であればよく、例えばポリプロピレン（ＰＰ）、ポリ塩化ビニル、ポリエチレンテレフタラート（ＰＥＴ）等がある。また、前記フェイスカバー２の厚みは、形状を保持可能で曲げ変形が可能な厚みであればよく、例えば、０．１〜０．４ｍｍが好ましく、０．１５〜０．２ｍｍがより好ましい。
【００２６】
前記フェイスカバー２は、着用者５０の顔５１の大きさを少し超える大きさが好ましい。これにより、対面する第三者からの飛沫Ｈを着用者５０に当たらないようにすることができる。また、前記フェイスカバー２が顔５１に当たっても切創になりにくいようにするため、外郭形状は周縁に突起がない略楕円形が好ましい。
【００２７】
まず、前記フェイスシールド１への眼鏡１０の取付けのための構成について説明する。図１〜図５に示すように、前記眼鏡１０の左右のテンプル１１のそれぞれの前端部に対応する前記フェイスカバー２の範囲に、前記テンプル１１が挟入可能な、左右方向で中央側が接続した略コ字状のテンプル用切れ目３で形成されたフラップ付き開口部が設けられる。前記フラップ付き開口部はフラップ片４を備える。
【００２８】
前記テンプル１１を前記フラップ付き開口部に挟入させたときの、前記眼鏡１０に対する前記フェイスシールド１の姿勢を安定化させるために、例えば着用者５０が正面向きから下向きになったときに前記フェイスシールド１をグラグラと揺動させないように、前記眼鏡１０の左右のテンプル１１間の長さ、及び、前記テンプル１１の厚みや幅に対応して、前記フェイスカバー２における前記フラップ付き開口部の位置、及び、前記フラップ付き開口部の大きさを予め設定する。
【００２９】
そのため、前記フラップ付き開口部の大きさ及び位置を、一般的なフレームの眼鏡用、フレーム極太眼鏡用、及び、医療用ゴ−グル用の３か所に設定する。
【００３０】
一般的なフレームの眼鏡用として幅が狭い切れ目を中央寄りに形成した略コ字状のテンプル用切れ目３ｃを設け、フレーム極太眼鏡用として幅が広い切れ目をテンプル用切れ目３ｃよりやや側端側Ｆに形成した略コ字状のテンプル用切れ目３ｂを設け、医療用ゴーグル用として幅が広い切れ目をテンプル用切れ目３ｂより側端側Ｆに形成した略コ字状のテンプル用切れ目３ａを設ける。
【００３１】
これにより、一般的なフレームの眼鏡、フレーム極太眼鏡又は医療用ゴ−グルであっても、着用者５０が下方を向いても上方を向いても、前記フェイスシールド１の重心が前記フラップ付き開口部より大きく前方になることがなくなり前記フェイスシールド１をグラグラと揺動させないようにすることができる。また、一般的なフレームの眼鏡、フレーム極太眼鏡又は医療用ゴ−グルを前記フェイスシールド１に取り付けることができる。
【００３２】
また、図１に示すように、中央側が接続した前記略コ字状のテンプル用切れ目３により、前記略コ字状のテンプル用切れ目３の横方向の切れ目の上下のそれぞれの中央側を結ぶ線を軸線として左右方向に開閉可能なフラップ片４が形成されている。前記フラップ片４は、図５に示すように、閉じる方向に付勢力Ｐ１を有しているので、前記フラップ片４を眼鏡１０のテンプル１１で外方向に押し出して開にすると、前記テンプル１１を挟入したままで閉じようとすることから、前記フラップ片４は対面の人からの飛沫Ｈをフェイスシールド１の内側に侵入させないようにガードすることができる。
【００３３】
次に、前記フェイスシールド１へのマスク２０の取付けのための構成について説明する。図１、図６〜図９に示すように、前記フェイスシールド１にマスク２０を取付けたときに前記マスク２０のマスク本体２３の左右方向の両端部それぞれに対応する前記フェイスカバー２の範囲に、上下方向で下側が接続した、上下方向の２つの切れ目の長さが異なる略コ字状の紐用切れ目５が形成され、前記フェイスカバー２の左右方向で側端側Ｆの上下方向の切れ目５ａを前記マスク２０の上側の紐２１を挟入可能に前記紐２１の直径より少し長い長さとし、かつ、前記フェイスカバー２の左右方向で中央側Ｔの上下方向の切れ目５ｂを前記マスク２０の下側の紐２２を挟入可能に前記フェイスカバー２の下端部の端縁まで延長させた長さとしている。前記切れ目５ａ及び切れ目５ｂは紐用切れ目５の構成要素である。
【００３４】
また、側端側Ｆの切れ目５ａである、一方がフラップ片６であるフェイスカバー２同士の間には、図８に示すように、マスク２０の上側紐２１を挟入する。前記切れ目５ａの長さは前記紐２１の直径より少し長い長さしかないので、前記フラップ片６は開方向に一旦曲げられても元の状態に戻ろうとする付勢力Ｐ３があるので、フラップ片６を含むフェイスカバー２はしっかりとマスク２０の上側紐２１を挟持することができる。そして、図３、図７、図８に示すように、マスク２０の上側紐２１を前記切れ目５ａから前記フェイスシールド１の表側に取り出す。
【００３５】
また、図８に示すように、マスク２０の上側紐２１を挟入させた切れ目５ａにはフラップ片６が蓋的に存在になっているので、着用者５０が対面する第三者からの飛沫Ｈのフェイスシールド１内側への侵入を阻止できる。
【００３６】
次に、前記中央側Ｔの切れ目５ｂには、図９に示すように、マスク２０の下側紐２２を挟入させ、図３、図７、図９に示すように、前記マスク２０の下側紐２２を切れ目５ｂから前記フェイスシールド１の表側に取り出す。
【００３７】
また、前記フェイスシールド１の表側に取り出されたマスク２０の上側紐２１は図８に示すように前記上側紐２１の弾性力Ｐ２により顔５１側にフェイスシールド１を押し付け、かつ、マスク２０の下側紐２２は図９に示すようにマスクの下側紐２２の弾性力Ｐ４により顔５１側にフェイスシールド１を押し付ける。これにより、前記フェイスシールド１はマスク２０により顔５１に固定できる。
【００３８】
これにより、マスク２０とフェイスシールド１の位置関係は、フェイスシールド着用者５０が仕事で種々な姿勢になってもずれることがない。
【００３９】
次に、前記フェイスカバー２の左右方向で中央側Ｔの上下方向の切れ目５ｂの前記フェイスカバー２の下端部の端縁までの延長経路の形態を、図１０（ａ）に示すように前記フェイスカバー２の下端近くまでまっすぐ下方に延長させ下端近くで斜め側端方向Ｆに向きを変えてそのまま周縁まで延長させる第一形態、又は、図１０（ｂ）に示すように前記フェイスカバー２の下端近くまでまっすぐ下方に延長させ、前記フェイスカバー２の該延長させた切れ目５ｂより側端側Ｆの部分の下端部を円弧状に形成させる第二形態とする。
【００４０】
前記中央側Ｔの切れ目５ｂを前記フェイスカバー２の下端まで延長させたのは、前記フェイスカバー２を切れ目５ｂのところで分離可能にさせて、前記フェイスシールド１に対してマスク２０を取り付けるときに、前記切れ目５ｂにマスク２０の下側紐２２を挟入しやすくし、前記フェイスシールド１に対してマスク２０の位置を調整しやすくし、さらに、前記フェイスシールド１に取付けたマスク２を着用したときに、前記マスク２０の紐２１、２２で前記フェイスシールド１を外側から押えて固定するためである。
【００４１】
また、図１０（ｃ）示すようにフェイスカバー２の切れ目５ｂを縦方向に真っ直ぐではなく、図１０（ｂ）に示すように下端より少し上側から下方向でかつ側端側Ｆに向きを変えることにより、又は、図１０（ｃ）に示すように下端部を円弧状に形成させることにより、着用者５０の顔５１に傷がつかないようにできる。
【００４２】
以上から、本考案のフェイスシールド１は、１枚のシート状のフェイスカバー２からなる簡易な形態でかつ安価でありながら、異なる大きさの眼鏡１０又はマスク２０にしっかりと固定化させることができ、着用者が下向きになる等の姿勢の変化によってもフェイスシールド１をグラグラさせず、第三者からの飛沫Ｈを侵入させないという効果を奏する。
【符号の説明】
【００４３】
１          フェイスシールド
２          フェイスカバー
３          テンプル用切れ目
４          フラップ片
５          紐用切れ目
５ａ        切れ目
５ｂ        切れ目
６          フラップ片
１０        眼鏡
１１        テンプル
２０        マスク
２１        紐
２２        紐
２３        マスク本体
５０        着用者
５１        顔
６０        フェイスシールド
６１        フェイスカバー
６２        ヘッドバンド
Ｆ          側端側（側端方向）
Ｔ          中央側
【図１】
0003227534.tif 000003
【図２】
0003227534.tif 000004
【図３】
0003227534.tif 000005
【図４】
0003227534.tif 000006
【図５】
0003227534.tif 000007
【図６】
0003227534.tif 000008
【図７】
0003227534.tif 000009
【図８】
0003227534.tif 000010
【図９】
0003227534.tif 000011
【図１０】
0003227534.tif 000012
【図１１】
0003227534.tif 000013